(57)【要約】      （修正有）【課題】病院・スーパーマーケット・コンビニエンスストア等の対面作業・対人販売等の時にマスクだけによる感染防止を更に防止をする循環式空気清浄機を提供する。【解決手段】可搬式の空気清浄機１の吸い込み口３ａ・吹き出し口２ａにダクト２、３を取り付け、可動式にして、吸い込み口に対角に設置したダクト２先端の吹き出し口から吹き出した空気を、ダクト３先端の吸い込み口で吸引して空気清浄機内のＨＥＰＡフィルターにより殺菌・滅菌した空気を再吹き出しに使用し可搬可動可能なエアーカーテンを作り出すダクトを備えた循環式空気清浄機であって、吹き出し量調整バルブ４を吐出側ダクトに設けた。【選択図】図１
0003233733.tif 000002
【実用新案登録請求の範囲】
【請求項１】
可動式可搬循環殺菌エアーカーテン
【請求項２】
可搬式の空気清浄機の吸込み口・吹き出し口を可動式にして吹き出し口から吹き出した空気を吸い込み口で吸引して空気清浄機内部のＨＥＰＥフィルター等により殺菌・滅菌した空気を再吹き出しに使用し可搬可動可能なエアーカーテンを作り出すのを特徴とする
【請求項３】
吹き出し量調整バルブを吐出側ダクトに付けることにより、吹き出し側吸込み側の風量に差が生じる事により吹き出し口と吸込み口の間の空気が吸い込まれる。
【考案の詳細な説明】
【技術分野】
【０００１】本考案は吸込み部分・吹き出し部分を可動式にした空気清浄機に関するものである。
【背景技術】
【０００２】病院での看護及び気道挿管等スーパーマーケット・コンビニエンスストア等のレジで防護措置としたマスクだけを着用していた。
【先行技術文献】
【特許文献】
【非特許文献１】
【考案の概要】
【考案が解決しようとする課題】
【０００３】病院・介護施設・スパーマーケット・コンビニエンスストアなどで感染防止策としてマスクを着用して仕事に従事されているが、マスクだけでは健康への被害・精神的負担が大きく飛沫感染の危険性もある。
従って、マスクだけでは感染予防の効果が少ないのを解決しようとするものである。
【課題を解決するための手段】
【０００４】本考案はマスクの隙間から入ってくる飛沫を少しでも減らそうと患者・お客からの飛沫を業務従事者に近づけず又、殺菌・減菌し業務従事者の健康被害を少しでも解決しようとするものである。
【考案の効果】
【０００５】従来の空気清浄機では本体下部又は背面より吸引し前部又は上部より吐出するものであるが本考案では吸引部及び吐出部を可動式にすることにより吐出したい位置より吐出し、吸引したい場所で吸引する事が可能である。
可動操作により看護師と患者の間・レジ店員とお客の間にエアーカーテンを設置する事又、吸い込まれた空気を空気清浄機で殺菌滅菌し清浄化された空気でエアーカーテを作り感染予防として役立つ。
【図面の簡単な説明】
【０００６】
【図１】本考案の病院での実施例を示す図である。
【図２】本考案のスーパーマーケット・コンビニエンスストアでの実施例を示す図である。
【考案を実施するための形態】
【０００７】病院での場合は空気清浄機本体を移動させ、飛沫がかかりそうな場所の操作者側に吹き出し部をセットし。操作者から離れた側に吸込み部を吹き出し方向の直線状にセットする。吹き出し部と吸込み部の間に飛沫の発生源である患者の呼気が通るように。又、スーパーマーケット・コンビニエンスストアのレジの場合は空気清浄機から吐出される吹き出し口を店員とお客の間の上部に設置し、下部のテーブル又は床に吸い込み口を設置する事によりエアーカーテンの役目を果たす。
【実施例】
【０００８】以下、貼付図１に従って１は空気清浄機本体で１より吐出された空気は２の吸気ダクトを通り２ａの吹き出し口より吐出される。
吐出された空気は、６患者の顔上部を通り３ａ吸い込み口より３吸込み側ダクトを通って１に送られ、１内部で殺菌滅菌され又吹出される。【０００９】は吹き出し量調整バルブで、本体からの吹き出し量が１００の場合吸込み量も１００になるので吹出した風しか吸い込まなくなるので４により吹き出し側の風量を調節し例えば７０の吹き出しで２ｂの分岐ダクトより３０を排出させる。１００の吸引なら周りの３０の汚染された空気を吸い込む事が可能になるように設置されている。【００１０】以下、貼付図２に従って１は空気清浄機本体で１より１より吐出された空気は２の吸気ダクトを通り２ａの吹き出し口より吐出される。
吐出された空気は、５従業員と６お客の間を通り５と６の間にエアーカーテンを作り３ａ吸い込み口より３吸込み側ダクトを通って１に送られ、１内部で殺菌滅菌され又吹出される。
【産業上の利用可能性】
【００１１】  ４は吹き出し量調整バルブで、本体からの吹き出し量が１００の場合吸込み量も１００になるので吹出した風しか吸い込まなくなるので４により吹き出し側の風量を調節し例えば７０の吹き出しで２ｂの分岐ダクトより３０を排出させる。１００の吸引なら周りの３０の汚染された空気を吸い込む事が可能になるように設置されている。
【符号の説明】
【００１２】１    空気清浄機本体
２    吐出ダクト
２ａ  吐出口
２ｂ  吐出分岐ダクト
３    吸込みダクト
３ａ  吸込み口
４    吐出空気量調整バルブ
５    医者（図１）        ５従業員（図２）
６    患者（図１）        ６客（図２）
７    気管挿管補助ブレード（図１）
８    気管挿管チューブ
【配列表フリーテキスト】【配列表】
【図１】
0003233733.tif 000003
【図２】
0003233733.tif 000004
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
可搬式の市販の空気清浄機の吸込み口・吹き出し口にダクトまたはチューブを取り付け可動式にして吹き出し口から吹き出した空気を吸込み口で吸引して空気清浄機内のＨＥＰＡフィルターにより殺菌・減菌した空気を再吹き出しに使用し可搬可動可能なエアーカーテンを作り出すのを特徴を有するダクトまたはチューブ。
【請求項２】
吹き出し量調整バルブを吐出側ダクトまたはチューブに設けた、請求項１に記載のダクトまたはチューブ。
【手続補正書】
【提出日】令和2年12月22日(2020.12.22)
【手続補正１】
【補正対象書類名】実用新案登録請求の範囲
【補正対象項目名】全文
【補正方法】変更
【補正の内容】
【実用新案登録請求の範囲】
【請求項１】
可搬式の空気清浄機の吸込み口・吹き出し口にダクトを取り付け可動式にして吸込み口に対角に設置したダクト先端の吹き出し口から吹き出した空気をダクト先端の吸込み口で吸引して空気清浄機内のＨＥＰＡフィルターにより殺菌・減菌した空気を再吹き出しに使用し可搬可動可能なエアーカーテンを作り出すのを特徴を有するダクト。
【請求項２】
吹き出し量調整バルブを吐出側ダクトに設けた、請求項１に記載のダクト。
【手続補正書】
【提出日】令和3年5月7日(2021.5.7)
【手続補正１】
【補正対象書類名】実用新案登録請求の範囲
【補正対象項目名】全文
【補正方法】変更
【補正の内容】
【実用新案登録請求の範囲】
【請求項１】
可搬式の空気清浄機の吸い込み口・吹き出し口にダクトを取り付け可動式にして吸い込み口に対角に設置したダクト先端の吹き出し口から吹き出した空気をダクト先端の吸い込み口で吸引して空気清浄機内のＨＥＰＡフィルターにより殺菌・滅菌した空気を再吹き出しに使用し可搬可動可能なエアーカーテンを作り出すダクトを備えたことを特徴とする循環式空気清浄機。
【請求項２】
吹き出し量調整バルブを吐出側ダクトに設けた、請求項１に記載の循環式空気清浄機。